(57)【要約】  【課題】本発明では、乳幼児の体型の大小に関わらず、体型に応じて適切に保護者に装着することができ、乳幼児にとっても、装着時に負担を感じさせることがないベビーキャリアの提供を目的とする。  【解決手段】  乳幼児を包む大きさを有したシート状の包持部１２を具備し、該包持部１２の長さ方向における両端部に、該両端部どうしを連結して環状形態とする一対の連結部１４を具備し、上記包持部の左右両側縁部に、上記包持部上の乳幼児を左右両側から保護する保護部１３を具備したベビーキャリア１１，４１，５１であって、上記保護部１３上記包持部１２，５２、及び、上記連結部１４における少なくとも上記保護部１３に、流体の充填により膨ませる少なくとも１つの膨張袋体１８を具備して形成したベビーキャリア１１，４１，５１。  【選択図】    図１
2006218009.tif 000002
【特許請求の範囲】
【請求項１】
乳幼児を包む大きさを有したシート状の包持部を具備し、該包持部の長さ方向における両端部に、該両端部どうしを連結して環状形態とする一対の連結部を具備し、上記包持部の左右両側縁部に、上記包持部上の乳幼児を左右両側から保護する保護部を具備したベビーキャリアであって、
少なくとも上記保護部に、流体の充填により膨ませる少なくとも１つの膨張袋体を具備して形成した
ベビーキャリア
【請求項２】
前記膨張袋体の内部に対して流体を注入、又は、排出する通気口を、上記膨張袋体における乳幼児の有する側から退避させた部位に形成した
請求項１に記載のベビーキャリア。
【請求項３】
前記膨張袋体に被覆可能に形成するとともに、通気性、又は／及び、柔軟性を有する素材により形成した被覆部材を具備した
請求項１、又は、請求項２に記載のベビーキャリア。
【請求項４】
前記被覆部材における、前記膨張袋体に有する前記通気口に対応する部位に、上記通気口の開口、又は、閉口操作を可能とする開口部を形成し、
上記開口部を閉口状態に固定する固定手段を形成した
請求項３に記載のベビーキャリア。
【請求項５】
前記膨張袋体に、前記一対の連結部どうしを連結して環状形態とするに伴って屈曲する節部を設けた
請求項１から請求項４のいずれか一項に記載のベビーキャリア。
【発明の詳細な説明】
【技術分野】
【０００１】
この発明は、乳幼児を抱っこするために用いる乳幼児用スリングとも称されるベビーキャリアに関する。
【背景技術】
【０００２】
上記ベビーキャリアは、乳幼児の成長、保護者の体格、或いは、使用用途などに応じて様々な取り付け形態で装着することができる。このように、利便性が高いことから、広く普及しつつある。  
最近では、従来の構成にさらに改良を加えたベビーキャリアに関する文献も開示されている。
【０００３】
例えば、下記特許文献１に係る「乳幼児用スリング」が開示されている。上記乳幼児用スリングの構成は、布を、所定の一方向における両外側から中央側へ向って蛇腹状に折り畳み、さらに、長さ方向の両端を絞って略紡錘状に形成することにより、長さ方向の中央部で乳幼児を保持する保持部を有している。
【０００４】
上記保持部は、乳幼児を載せると、上記折り畳んだ布が下側に膨出するシート状の底部と、該底部の左右両縁に有して布が折り畳まれた状態の側面部とで形成されている。さらに、上記底部には、乳幼児用スリング全体を折り畳んだ状態で、収容できるポケットも具備している。
【０００５】
下記特許文献１によれば、上記底部は、その上に載せる乳幼児の体型、運動に応じて、該乳幼児を抱き込める大きさに変動する旨の記載がされている。
【０００６】
ところが、上記底部の大きさが変動するに伴って、折り畳んだ状態の上記側面部の折り畳み量も変動してしまうことになる。
【０００７】
よって、次のような問題点が考えられる。  
例えば、上記乳幼児用スリングを収納する際においては、蛇腹状の布を折り畳む必要があるが、これにより上記側面部の厚みが厚くなってしまう。このため、たとえ、折り畳んだ乳幼児用スリングを上記ポケットに収容しても、側面部に対応する部位が嵩張ってしまい、コンパクトに折り畳むことができないという問題を有する。
【０００８】
また、上記乳幼児用スリングを使用時においては、蛇腹状の上記側面部が伸張した場合、厚みが薄くなるため、側面部の柔軟性や弾性が低下してしまう。つまり、上記乳幼児用スリングの外側からの負荷に対して上記底部に載せた乳幼児を充分に保護できないという問題が生じる。
【０００９】
さらに、厚みの薄い側面部では、該側面部の形態を維持することが困難となるため、乳幼児を底部に留めておくことも難しくなる。例えば、保護者が乳幼児用スリングの装着した状態で、前屈みの姿勢となった場合、或いは、特に、「半立て抱き」と称する抱き方の場合において、乳幼児自身が上半身を保護者と反対側の側面部側に体重をかけた場合などは、上記乳幼児用スリングから外側へ落下してしまうおそれも有する。
【特許文献１】特開２００３−４７５４２号公報
【発明の開示】
【発明が解決しようとする課題】
【００１０】
そこで本発明では、コンパクトに折り畳むことができ、持ち運びや収納が容易であり、しかも、乳幼児の体格に関わらず、安全性は勿論、快適性も確保した状態で装着できるベビーキャリアの提供を目的とする。
【課題を解決するための手段】
【００１１】
本発明に係るベビーキャリアは、乳幼児を包む大きさを有したシート状の包持部を具備し、該包持部の長さ方向における両端部に、該両端部どうしを連結して環状形態とする一対の連結部を具備し、上記包持部の左右両側縁部に、上記包持部上の乳幼児を左右両側から保護する保護部を具備したベビーキャリアであって、少なくとも上記保護部に、流体の充填により膨ませる少なくとも１つの膨張袋体を具備して形成したことを特徴とする。
【００１２】
上記流体は、例えば、空気などの気体、水などの液体を示す。  
また、本発明に係るベビーキャリアは、上記膨張袋体の内部に対して流体を注入、又は、排出する通気口を、上記膨張袋体における乳幼児の有する側から退避させた部位に形成したことを特徴とする。
【００１３】
さらに、本発明に係るベビーキャリアは、上記膨張袋体に被覆可能に形成するとともに、通気性、又は／及び、柔軟性を有する素材により形成した被覆部材を具備することができる。
【００１４】
上記被覆部材は、例えば、メッシュ地、或いは、起毛状の生地により形成することができる。
【００１５】
上記ベビーキャリアは、上記被覆部材における、上記膨張袋体に有する上記通気口に対応する部位に、上記通気口の開口、又は、閉口操作を可能とする開口部を形成し、上記開口部を閉口状態に固定する固定手段を形成することが好ましい。
【００１６】
上記固定手段は、例えば、スライドファスナ、面ファスナ、スナップ、フック、或いは、これらを組み合わせたもので形成することができる。
【００１７】
また、上記ベビーキャリアは、上記膨張袋体に、上記一対の連結部どうしを連結して環状形態とするに伴って屈曲する節部を設けてもよい。
【発明の効果】
【００１８】
請求項１に係るベビーキャリアは、少なくとも保護部に具備した膨張袋体を膨張させたり、収縮させたりして用いることができる。
【００１９】
例えば、膨張袋体における内部の流体を排出して収縮させれば、全体を略面状にすることができる。そして、膨張袋体を略面状にしたときも、面積が広がることもないため、コンパクトな形態とすることができる。  
よって、外出時に持ち運びが容易であり、嵩張らずに収納できる。
【００２０】
さらに、ベビーキャリアは、膨張袋体を収縮、或いは、膨張させることにより、サイズ調節も可能となる。例えば、乳幼児の体格が小さい場合、保護部における膨張袋体を収縮して用い、その後、乳幼児の成長に応じて、膨張袋体を段階的に膨張させて用いることができる。  
その他にも、ベビーキャリアは、所望の部位における膨張袋体を収縮、或いは、膨張させるなどして例えば、乳幼児の世話がし易い形態として用いるなどして、より利便性を向上させることもできる。
【００２１】
請求項２に係る発明によれば、乳幼児の安全性を確保することができる。具体的には、乳幼児が好奇心から通気口を触り、万一にも乳幼児が怪我をしてしまうことを回避できる。さらに、保護者は、流体の流入、或いは、流出する行為を、乳幼児に気を使うことなく迅速に行える。しかも、その際、乳幼児にストレスを与えてしまうこともない。
【００２２】
請求項３に係る発明によれば、特に、被覆部材を通気性の有する素材により形成すれば、例えば、膨張袋体がビニール素材などの非通気性素材で形成した場合でも、乳児と膨張袋体との間に、被覆部材が介するため、その間の通気性を確保することができる。よって、例えば、夏季でも蒸れることがなく乳幼児の快適性を保つことができる。
【００２３】
また、特に、被覆部材を柔軟性の有する素材により形成すれば、良好な肌触りを確保できる。さらに、柔軟性の有する素材は、一般に、保温性も有することから冬季であっても乳幼児の保温性を確保することもできる。
【００２４】
その他にも、被覆部材を膨張袋体に被覆することにより、膨張袋体が破損しないよう保護することもできる。
【００２５】
請求項４に係る発明によれば、被覆部材を膨張袋体に被覆した状態であっても、被覆部材の開口部を開口すれば、通気口が現れるため、容易に通気口の開口、又は、閉口操作を行うことができる。例えば、ベビーキャリアを装着したままでも、保護者は、膨張袋体の収縮操作等を容易に行える。  
また、固定手段を形成することにより、開口部は、通常、閉口状態に保つことができる。このため、不用意に通気口が開いてしまうことを防止できる。よって、被覆部材が膨張袋体に対して取り外れたりすることも防止でき、乳幼児がさらに通気口に触れ難くすることもできる。
【００２６】
請求項５に係る発明によれば、膨張袋体に節部を形成することにより、該節部に対応する部位を積極的に屈曲させることができる。ベビーキャリアを環状形態とするときも、膨張袋体は、圧迫されず負担がかからないため、破損してしまうこともない。
【発明を実施するための最良の形態】
【００２７】
この発明の一実施形態を、以下図面を用いて説明する。  
図１（ａ）、（ｂ）に示したように、本実施形態におけるベビーキャリア１１は、乳幼児を包持するシート状の包持部１２と、該包持部１２の左右両縁側に、乳幼児を左右両側から保護する保護部１３を形成している。さらに、長さ方向の両端側には、該各端部どうしを連結する一対の連結部１４（１４ａ，１４ｂ）を具備している。  
なお、図１（ａ）、及び、図１（ｂ）は、それぞれ本実施形態におけるベビーキャリア１１を展開したときの平面図、側面図を示す。
【００２８】
上記保護部１３については、柔軟性、且つ、弾性（反発性）を有して形成している。上記保護部１３は、ベビーキャリア１１の左右各側において、５つの区画に区分している。
【００２９】
ここで、保護部１３の長さ方向における最も足部側に相当する部位、すなわち、保護部１３の長さ方向における両端部における、後述する当接用パッド１７の有する側と他端部側の部位を第１保護部１５に設定する。
【００３０】
さらに、保護部１３の長さ方向における頭部側に相当する部位、すなわち、保護部１３における当接用パッド１７近傍部位を第２保護部１６に設定する。
【００３１】
上記第１保護部１５を除いた部位以外の各保護部１３は、上記第２保護部１６も含めて略同一の大きさ、長さで形成し、第１保護部１５が他の保護部１３と比較して半分程度の長さになるよう形成している。
【００３２】
さらに、保護部１３の内部には、上記保護部１３を長さ方向において５つの区画に区分する各部位に対応するように５つの膨張袋体１８を一列に配している。膨張袋体１８は、ビニール製シート部材を略円筒形をした袋状に形成し、その内部には、図１（ｃ）に示したように空気を充填させて形成している。
【００３３】
また、図２（ａ）に示したように、各膨張袋体１８の表面には、該膨張袋体１８の内部に対して空気を注入、或いは、排出するための通気口１９を形成している。  
なお、上記通気口１９は、通気口１９の周縁を形成する周縁部材と、該周縁部材に挿し込んで通気口１９を封止する栓部材とにより形成する。通気口１９の周縁部材と栓部材とは、樹脂製であり連結帯体を介して熱溶着により一体に形成している。
【００３４】
さらに、保護部１３の外部には、膨張袋体１８を被覆する布製の被覆カバー２０を形成し、上記被覆カバー２０は、上記包持部１２の左右縁部沿いに縫着して一体に形成している。
【００３５】
図２（ｂ）に示したように、上記被覆カバー２０には、内部に収容した５つの膨張袋体１８のそれぞれに対応する部位に、膨張袋体１８を収容、或いは、取り出し可能とするスリット状の開口部２２を形成している。
【００３６】
具体的に、開口部２２は、ベビーキャリア１１の外側、すなわち、乳幼児の有する側とは反対側における乳幼児から遠ざけた部位に形成している。
【００３７】
上記全ての開口部２２の長さ方向における一方の縁部には、一方のスライドファスナ３６ａを縫着し、他方の縁部には、他方のスライドファスナ３６ｂを縫着して、開口部２２は、スライダ３６ｃの開閉操作により開閉可能に形成している（図２（ｂ）における一部拡大図参照）。
【００３８】
なお、開口部２２の縁部に縫着したスライドファスナ３６を隠蔽可能とする帯状の布片３５を、開口部２２に対して上記一方のスライドファスナ３６ａを縫着した縁部よりも、さらに外側に片状に縫着している。これにより、布片３５は、一対のスライドファスナ３６、及び、開口部２２を隠蔽している。
【００３９】
ちなみに、膨張袋体１８は、上記通気口１９が膨張袋体１８の周方向において被覆カバー２０の開口部２２に対応する部位に一致するよう被覆カバー２０に被覆されている（図１（ｂ）参照）。
【００４０】
次に、上記包持部１２については、図１（ａ）に示した展開状態のベビーキャリア１１における長さ方向の一方の端部、すなわち、乳幼児をいわゆる「ゆりかご抱き」と称する装着方法により、包持部１２に乳幼児を包み込んだとき、乳幼児の頭部が当接する部位に相当する部位に、該頭部を当接可能な大きさを有した柔軟な当接用パッド１７を取り付けている。
【００４１】
ここで、上記当接用パッド１７は、図３（ａ），（ｂ）に示したように、その幅方向の中央部に当接部１７ａを有し、該当接部１７ａの左右両側から外側へ片状に延びる耳部１７ｂを有している。そして、当接用パッド１７における当接部１７ａの底面側を上記包持部１２における頭部側に対応する部位に縫着することにより取り付いている。
【００４２】
当接用パッド１７についても、上記保護部１３と同様の構成を採る。すなわち、内部に空気を充填した膨張袋体２５を配し、上記膨張袋体２５を布製の被覆カバー２１により被覆している。
【００４３】
さらに、上記保護部１３と同様に、上記当接用パッド１７における膨張袋体２５には、通気口２６を有し、被覆カバー２１には、開口部３３を形成するとともに、布片２３、及び、一対のスライドファスナ２４を具備している。このように、当接用パッド１７は、上述した保護部１３と同様の構成であるため、その詳しい説明を省略する（後述する図５（ａ）参照）。
【００４４】
但し、当接用パッド１７における膨張袋体２５の通気口２６、及び被覆カバー２１の開口部３３は、耳部１７ｂにおける背面側（包持部１２側）に形成している。このように、通気口２６、及び、開口部３３は、乳児が触れることのできない部位に形成している。
【００４５】
但し、図３（ｂ）に示したように、上記耳部１７ｂは、直接、包持部１２に対して縫着していない。
【００４６】
さらに、シート状に形成した包持部１２は、幅方向に広げたとき、乳幼児を包持可能な空間が左右両側の保護部１３間に形成されるよう幅方向に伸張、或いは、弛緩が可能に余裕をもって形成している。  
よって、包持部１２は、包持した乳幼児の体格に応じて伸張、或いは、弛緩し、しかも、弛緩したときは、耳部１７ｂの背面側に隠蔽させることができるため、見栄えも良好に保つことができる。
【００４７】
最後に上記連結部１４の構成について説明する。上記一対の連結部１４における一方の連結部１４ａは、ベビーキャリア１１の長さ方向における上記第１保護部１５を有する側端部において２つの環状部材２８により形成している（図３（ａ）参照）。  
具体的には、上記包持部１２、及び、保護部１３の頭部側端部を線状に束ねた後、これらを上記２つの環状部材２８に挿通した後、上記当接用パッド１７側の有する側へ折り返して、該当接用パッド１７における当接部１７ａに一体に連結している。これにより、２つの環状部材２８を、当接用パッド１７の有する端部側において保持させることができる（図３（ａ）参照）。  
なお、上記２つの環状部材２８において、ベビーキャリア１１の長さ方向の外側に有する環状部材２８を第１環状部材２８ａに設定し、ベビーキャリア１１の長さ方向の内側に有する環状部材２８を第２環状部材２８ｂに設定する。
【００４８】
さらに、上記環状部材２８の具体的な構成について、図４（ａ），（ｂ）を用いて説明する。上記環状部材２８は、円環状をしたその内周部、及び、内周縁部に、軸方向の溝を複数、樹脂成型により形成している。これにより、上記環状部材２８の内周部、及び、内周縁部には、複数の凹凸を形成することができる。
【００４９】
続いて、上記一対の連結部１４における他方の連結部１４ｂについては、ベビーキャリア１１の長さ方向における第２保護部１６を有する側の端部に形成し、包持部１２、及び、保護部１３における端部を絞るべく、折り畳んで重合していき、帯状をした調節用帯部２９を形成している（図１（ａ）参照）。
【００５０】
さらに、図４（ｃ），（ｄ）に示したように、上記調節用帯部２９の先端部には、合成樹脂製の円柱状をしたストッパ部材３１を取り付けている。ストッパ部材３１の幅方向の中央部には、上記調節用帯部２９を挿通可能な幅の挿通孔３１ａを長さ方向にかけて形成している。また、上記ストッパ部材３１は、その円柱形をした全長が上記環状部材２８の内周径よりも長くなるよう形成している。
【００５１】
上記ストッパ部材３１における挿通孔３１ａに上記調節用帯部２９の先端部を挿通した後、折り返し、該折り返した先端部を該先端部との重合部へ縫着することにより、一体に取り付けている。
【００５２】
以上のように保護部１３、包持部１２、連結部１４をそれぞれ形成し、ベビーキャリア１１を構成している。
【００５３】
上記ベビーキャリア１１は、例えば、後述する「ゆりかご抱き」と称する装着方法により乳幼児を抱くことができる。このとき、包持部１２は、乳幼児を包持した状態で支持する。保護部１３は、充分、柔軟性、及び、弾性を有しているため、外力が作用した場合などにおいて乳幼児を保護することができるとともに、ベビーキャリア１１から外側に出てしまうことを防ぐこともできる。
【００５４】
ところで、上述のように用いられる上記ベビーキャリア１１を、収容する場合は以下に述べる手順によりコンパクトな形態とすることができる。
【００５５】
まず、図５（ａ）に示したように、乳幼児を載せていない状態で、保護部１３、及び、当接用パッド１７において、上記一対のスライドファスナ３６ａ，３６ｂの係合を解除することで、被覆カバー２０，２１における開口部２２，３３を、表面の通気口１９，２６が現れるまで開口する。そして、上記通気口１９，２６における周縁部材から上記栓部材を抜き、膨張袋体１８，２５の内部の空気を排気する。このとき、保護部１３を、手で圧縮するなどすれば、容易に薄い面状にすることができる。そして、図５（ｂ）に示したように、左右各側の保護部１３をベビーキャリア１１の幅方向における中心側に接近させていく。
【００５６】
上述により、ベビーキャリア１１は、図６（ａ）に示したように、厚みも薄く、しかも、幅広にならないでコンパクトな形態とすることができる。さらに、図６（ａ）の状態から順に例えば、図６（ｂ）、そして、図６（ｃ）のように折り畳めば、鞄などに収納できるため、持ち運びや収納が容易である。また、膨張袋体１８を膨張させれば、繰り返し用いることができる。
【００５７】
上述したように、膨張袋体１８，２５を再度、収縮、或いは、膨張させることにより、使用時においては、上述した保護部１３、及び、当接用パッド１７としての機能を充分、発揮しつつ、不使用時においては、膨張時と比較して格段に、且つ、容易に、コンパクトな形態とすることができる。
【００５８】
例えば、保護部１３を、布を蛇腹状に折り重ねることにより収納する場合は、厚みを有するため、嵩張る。また、保護部に綿部材などの柔軟性部材を充填して形成した場合であれば、手で圧縮しても収縮した状態を保つことができず、仮に、保護部を取り外しが可能に形成しても、持ち運びには、取り外した保護部１３が邪魔である。このように、他の構成の保護部と比較しても、空気を排出することで保護部１３を収縮する形態を採れば、格段にコンパクトな形態とすることができる。
【００５９】
また、通常、ベビーキャリア１１は、乳幼児の成長に伴う体型の変化に応じて、段階的に保護者への装着方法（抱き方）を変化させて用いられる。このことからベビーキャリア１１の装着方法の変化に伴う本実施形態におけるベビーキャリア１１の作用・効果について図８を用いて以下、説明する。
【００６０】
まず、新生児から生後約２ヶ月が経過するまでは、通常、乳幼児の首がすわっていない状態である。この場合、例えば、いわゆる「ゆりかご抱き」、或いは「寄り添い抱き」と称する装着方法が適している。
【００６１】
ところが、乳児の体型が小さすぎるため、通常、ベビーキャリア１１の長さ方向における第１保護部１５側の端部が残留し、膨張した状態の第１保護部１５が保護者の腰部を圧迫してしまう。このような場合、第１保護部１５における膨張袋体１８の空気を抜いておけば、乳幼児を適度に保護者側に寄せることができるとともに、保護者も腰に圧迫感を感じずに、快適な状態で装着できる（図８（ａ））。
【００６２】
そして、乳幼児の首部が完全にすわっていないものの、体型が徐々に大きくなれば、装着方法は、上述と同様に「ゆりかご抱き」であるが、ベビーキャリア１１については、収縮していた上記第１保護部１５に相当する膨張袋体１８を膨張させればよい。このようにして、ベビーキャリア１１は、乳幼児を保護できるサイズに変更して装着することができる（図８（ｂ））。
【００６３】
さらに、乳幼児の首部がすわり、頭部を支えることがなく座れるようになった場合、いわゆる「カンガルー抱き」、或いは「腰抱き」と称する装着方法が適しているといえる。これら装着方法は、乳幼児の頭部に当接させていた当接用パッド１７を保護者の肩部に当接させた形態を採るため、肩部に当接させた当接用パッド１７が滑らないよう、ある程度、空気を排出するなどして、装着し易い形態に変更して用いることができる（図８（ｃ））。
【００６４】
以上のように、装着方法や乳幼児の体型の変化に応じて、ベビーキャリア１１は、段階的に所望の部位の膨張袋体１８を収縮、或いは、膨張させて用いることができる。
【００６５】
次に、他の実施形態を採るベビーキャリア４１について、以下、図９を用いて説明する。本実施形態におけるベビーキャリア４１は、保護部４２における上記複数の膨張袋体４３を一体に形成している。  
具体的にベビーキャリア４１における膨張袋体４３は、上述した実施形態における膨張袋体４３を長さ方向において互いに連結し、内部において貫通させた形態で形成している。その際、膨張袋体４３には、通気口１９も１つ形成だけ形成している。しかも、膨張袋体４３は、長さ方向において、上記実施形態における膨張袋体４３を互いに連結した部位に対応する各部位に、周方向に凹ませた節部４３ａを形成している。  
被覆カバー４４については、開口部２２を通気口１９に対応する部位に１つだけ形成し、該開口部２２は、膨張袋体４３が取り出し、或いは、収納が可能な大きさに形成している。
【００６６】
上記構成を採るベビーキャリア４１は、膨張袋体４３の内部において区分けせずに一体に形成している。このため、１つの通気口１９を介して一気に収縮、或いは、膨張を行うことができる。しかも、ベビーキャリア４１の収納、或いは、使用する際の切り換えが迅速に行える。
【００６７】
さらに、膨張袋体４３には、節部４３ａを有するため、図１０に示したように、ベビーキャリア４１を環状形態に屈曲させるときも、膨張袋体４３については、節部４３ａが積極的に屈曲する。このため、膨張袋体４３自体に負担がかからず、容易にベビーキャリア４１を環状形態にすることができる。しかも、膨張袋体４３内に充填する空気の量を減らすことなく、屈曲できるため、乳幼児を確実に保護するという保護部１３としての機能は維持できる。
【００６８】
次に、さらに他の実施形態におけるベビーキャリア５１について説明する。  
ベビーキャリア５１は、上記保護部４２に加えて他の部位に膨張袋体４３を具備して形成していもよい。例えば、包持部に、膨張袋体を具備して構成する場合、例えば、図１１のように構成することができる。
【００６９】
具体的には、包持部５２における膨張袋体５３は、例えば、複数の段部を包持部５２における長さ方向にかけて形成している。上記膨張袋体５３は、内部で一体となり、通気口１９は、包持部５２の裏面側に有する。
【００７０】
上記形態を採れば、包持部５２は、柔軟性、且つ、弾力性が向上するため、乳幼児を快適に載置できる（図１１（ｃ）参照）。
【００７１】
さらに、包持部５２における膨張袋体５３に充填する空気量を調節することにより、包持部５２が屈曲する度合いを調節することもできる。よって、体型の大きな乳幼児を載せた場合であっても、過度に乳幼児が屈曲しすぎてしまうことがなく包持できる（図１１（ｃ）参照）。
【００７２】
勿論、上述した膨張袋体は、包持部に限らず連結部１４に具備してもよい。例えば、上記調節用帯部２９に具備した場合、該調節用帯部２９を膨張、或いは、収縮自在となり、ベビーキャリア着用後に膨張させておけば、環状部材２８に密着し、より強固に連結することできる。
【００７３】
連結を解除する際には、調節用帯部２９における膨張袋体の空気を抜けば、容易に取り外すことができる。
【００７４】
ちなみに、上述した膨張袋体は、上述したように被覆カバーに収容した状態のまま、膨張、或いは、収縮させるに限らず、被覆カバーから取り出してから膨張、或いは、収縮さえてもよい。
【００７５】
また、被覆カバーにより膨張袋体を被覆せずに、直接、膨張袋体を乳幼児と接触させてもよいが、被覆カバーを被覆することで、乳幼児を快適に保護することができる。よって、被覆カバーは、柔軟性、又は／及び、通気性の有する素材であれば、例えば、メッシュ地や起毛状に形成してもよい。
【００７６】
さらに、上述した膨張袋体は、上記保護部、包持部、又は／及び、連結部における少なくとも１部位のみに具備してもよい。例えば、上記膨張袋体は、第１保護部１５、又は／及び、第２保護部１６のみに具備する形態としてもよい。
【００７７】
また、上述の実施形態と、この発明の構成との対応において、この実施形態の空気は、この発明の流体に対応し、同様に、被服カバー２０，２１，４４は、被服部材に対応するも、この発明は、上述の実施形態の構成のみに限定されるものではなく、上述したように多くの実施の形態を得ることができる。
【図面の簡単な説明】
【００７８】
【図１】ベビーキャリアの平面図（ａ）、ベビーキャリアの側面図（ｂ）、図１（ａ）におけるＡ−Ａ断面図（ｃ）。
【図２】ベビーキャリアにおける第２保護部近傍の構成を示す説明図（ａ）、ベビーキャリアにおける第２保護部近傍の構成を示す他の説明図（ｂ）。
【図３】ベビーキャリアの一方の端部側の平面図（ａ）、図３（ａ）におけるＡ−Ａ端面図（ｂ）。
【図４】ベビーキャリアの環状部材の正面図（ａ）、図４（ａ）におけるＡ−Ａ断面図（ｂ）、ストッパ部材の正面図（ｃ）、図４（ｃ）におけるＢ−Ｂ断面図（ｄ）。
【図５】ベビーキャリアを折り畳む過程における図３（ａ）のＡ−Ａ端面図（ａ）、ベビーキャリアを折り畳む他の過程における図３（ａ）のＡ−Ａ端面図（ｂ）。
【図６】ベビーキャリアを収縮した状態を示す外観図（ａ）、ベビーキャリアを折り畳む過程における外観図（ｂ）、折り畳んだ状態のベビーキャリアを示す外観図（ｃ）。
【図７】ベビーキャリアを収縮した状態を示す図６（ａ）のＡ−Ａ端面図。
【図８】乳幼児の体格に応じたベビーキャリアの各装着状態を示す外観図（ａ），（ｂ），（ｃ）。
【図９】他の実施形態におけるベビーキャリアの平面図（ａ）、環状形態としたベビーキャリアの側面図（ｂ）、図９（ａ）におけるＡ−Ａ断面図（ｃ）。
【図１０】他の実施形態に係るベビーキャリアの使用状態を示す説明図。
【図１１】さらに他の実施形態に係るベビーキャリアの平面図（ａ）、図１１（ａ）におけるＡ−Ａ断面図（ｂ），さらに他の実施形態に係るベビーキャリアの使用状態を示す説明図。
【符号の説明】
【００７９】
１１，４１，５１…ベビーキャリア
１２，５２…包持部
１３，４２…保護部
１４…連結部
１８，２５，４３，５３…膨張袋体
１９，２６…通気口
２０，２１，４４…被覆カバー
２２，３３…開口部
３６，２４…スライドファスナ
４３ａ…節部
【図１】
2006218009.tif 000003
【図２】
2006218009.tif 000004
【図３】
2006218009.tif 000005
【図４】
2006218009.tif 000006
【図５】
2006218009.tif 000007
【図６】
2006218009.tif 000008
【図７】
2006218009.tif 000009
【図８】
2006218009.tif 000010
【図９】
2006218009.tif 000011
【図１０】
2006218009.tif 000012
【図１１】
2006218009.tif 000013